(57)【特許請求の範囲】
【請求項１】
移動ステーションと、移動スイッチと、前記移動ステーションとの間での通信のために無線インターフェイスの多重化された複数の型を支援するベースステーションシステムと、前記無線インターフェイスの多重化された複数の型の各々に関連した専用シグナリングプロトコルと、前記移動スイッチと前記ベースステーションシステムとの間で前記専用シグナリングプロトコルの各々を支援する単一シグナリングインターフェイスと、異なるシグナリングプロトコルに属するシグナリングメッセージを互いに分離するのに使用される弁別パラメータとを備えており、前記弁別パラメータは、前記単一シグナリングインターフェイスを通して転送される各シグナリングメッセージに関連付けられており、前記メッセージがどのシグナリングプロトコルに属するかを指示することを特徴とする移動無線システム。
【請求項２】
移動ステーションと、移動スイッチと、前記移動ステーションの第１のグループと通信するために第１の無線インターフェイスを支援し且つ前記移動ステーションの第２のグループと通信するために第２の無線インターフェイスを支援するベースステーションシステムと、前記第１の無線インターフェイスに関連する第１のシグナリングプロトコルおよび第１のグループのシグナリングメッセージと、前記第２の無線インターフェイスと関連した第２のシグナリングプロトコルおよび第２のグループのシグナリングメッセージと、前記移動スイッチと前記ベースステーションシステムとの間で前記専用シグナリングプロトコルの各々を支援する単一シグナリングインターフェイスと、異なるシグナリングプロトコルに属する前記第１のグループおよび第２のグループのシグナリングメッセージを互いに分離するために使用される弁別パラメータとを備えており、該弁別パラメータは、前記単一シグナリングインターフェイスを通して転送される各シグナリングインターフェイスに関連付けられていて、前記メッセージが属するシグナリングプロトコルを指示することを特徴とする移動無線システム。
【請求項３】
移動ステーションと、移動スイッチと、前記移動ステーションの第１のグループと通信するため第１の無線インターフェイスを支援し且つ前記移動ステーションの第２のグループと通信するため第２の無線インターフェイスを支援するベースステーションシステムと、前記移動スイッチと前記ベースステーションシステムとの間の単一シグナリングインターフェイスとを備えており、前記単一シグナリングインターフェイスは、前記移動スイッチと前記ベースステーションシステムとの間で前記単一シグナリングインターフェイスを通してのシグナリングのための前記第１の無線インターフェイスに対応する第１のグループのシグナリングメッセージおよび前記移動スイッチと前記ベースステーションシステムとの間で前記単一シグナリングインターフェイスを通してのシグナリングのための前記第２の無線インターフェイスに対応する第２のグループのシグナリングメッセージを備える上方シグナリングレーヤーと、前記単一シグナリングインターフェイスを通して下方レーヤーメッセージのユーザデータフィールドにおける前記上方シグナリングレーヤーメッセージを搬送するための下方シグナリングレーヤーとを備えており、前記トランスポートレーヤーメッセージの前記ユーザデータフィールドは、さらに、弁別パラメータを含み、該弁別パラメータの１つまたはそれ以上のビットは、前記下方レーヤーメッセージの前記ユーザデータフィールドにおける前記メッセージが前記第１のグループのメッセージに属するか、または、前記第２のグループのメッセージに属するかを指示するものであり、さらに、前記下方レーヤーと前記上方レーヤーとの間で前記弁別パラメータを管理し且つ前記第１および第２のグループのメッセージに属する前記上方レーヤーメッセージの間の弁別のための中間レーヤーを備えることを特徴とする移動無線システム。
【請求項４】
移動ステーションと、移動スイッチと、前記移動ステーションの第１のグループとの通信のために第１の無線インターフェイスを支援し且つ前記移動ステーションの第２のグループとの通信のために第２の無線インターフェイスを支援するベースステーションシステムと、前記移動スイッチと前記ベースステーションシステムとの間の単一シグナリングインターフェイスと、前記単一シグナリングインターフェイスを通して前記移動スイッチと前記ベースステーションシステムとの間のシグナリングを行うための前記第１の無線インターフェイスに対応する第１のグループのシグナリングメッセージと、前記単一シグナリングインターフェイスを介して前記移動スイッチと前記ベースステーションシステムとの間のシグナリングを行うための前記第２の無線インターフェイスに対応する第２のグループのシグナリングメッセージとを備えており、前記単一シグナリングインターフェイスは、前記単一シグナリングインターフェイスおよびベースステーションシステムを通して前記移動スイッチと前記第１のグループの移動ステーションとの間で前記第１のグループのメッセージにおけるＤＴＡＰメッセージを転送するための第１の直接転送アプリケーションサブ部ＤＴＡＰと、前記移動スイッチと前記ベースステーションシステムとの間で前記第１のグループのメッセージにおけるＢＳＳＭＡＰメッセージを転送するための第１のベースステーションシステム管理アプリケーションサブ部ＢＳＳＭＡＰと、前記単一シグナリングインターフェイスおよびベースステーションシステムを通して前記移動スイッチと前記第２のグループの移動ステーションとの間で前記第２のグループのメッセージにおけるＤＴＡＰメッセージを転送するための第２の直接転送アプリケーションサブ部ＤＴＡＰと、前記移動スイッチと前記ベースステーションシステムとの間の前記第２のグループのメッセージにおけるＢＳＳＭＡＰメッセージを転送するための第２のベースステーションシステム管理アプリケーションサブ部ＢＳＳＭＡＰと、前記単一シグナリングインターフェイスを通してＳＣＣＰメッセージのユーザデータフィールドにおける前記ＤＴＡＰおよびＢＳＳＭＡＰメッセージを転送するための単一シグナリング接続および制御部ＳＣＣＰとを備えており、前記ＳＣＣＰメッセージの前記ユーザデータフィールドは、分配データユニット、長さインディケータおよび転送すべき前記ＤＴＡＰまたはＢＳＳＭＡＰメッセージを含み、前記分配データユニットは、弁別パラメータを含み、該弁別パラメータの少なくとも１つのビットは、前記ＳＣＣＰメッセージの前記ユーザデータフィールドにおけるメッセージがＢＳＳＭＡＰメッセージであるか、または、ＤＴＡＰメッセージであるかを指示し、前記弁別パラメータの他のビットの１つまたはそれ以上のビットは、前記ＳＣＣＰメッセージの前記ユーザデータフィールドにおける前記メッセージが前記第１のグループのメッセージに属するか、または、前記第２のグループのメッセージに属するかを指示し、さらに、前記ＳＣＣＰおよびＤＴＡＰおよびＢＳＳＭＡＰの間にあって、前記弁別パラメータを管理し且つ前記第１および第２のグループのメッセージに属する前記ＤＴＡＰおよびＢＳＳＭＡＰメッセージの間の弁別を行うための中間レーヤーを備えることを特徴とする移動無線システム。
【請求項５】
前記中間レーヤーは、受信ＳＣＣＰメッセージにおける前記弁別パラメータに応答して、該ＳＣＣＰメッセージのユーザデータフィールドにおけるメッセージを、もし、前記ユーザデータフィールドにおけるメッセージが前記第１のグループのメッセージに属するＤＴＡＰメッセージであることを前記弁別パラメータが指示する場合には、前記第１のＤＴＡＰへ、もし、前記ユーザデータフィールドにおけるメッセージが前記第２のグループのメッセージに属するＤＴＡＰメッセージであることを前記弁別パラメータが指示する場合には、前記第２のＤＴＡＰへ、もし、前記ユーザデータフィールドにおけるメッセージが前記第１のグループのメッセージに属するＢＳＳＭＡＰメッセージであることを前記弁別パラメータが指示する場合には、前記第１のＢＳＳＭＡＰへ、もし、前記ユーザデータフィールドにおけるメッセージが前記第２のグループのメッセージに属するＢＳＳＭＡＰであることを前記弁別パラメータが指示する場合には、前記第２のＢＳＳＭＡＰへと分配するようにする請求項４記載の移動無線システム。
【請求項６】
前記単一シグナリングインターフェイスは、ＧＳＭ特定Ａ−インターフェイスと実質的に同様である請求項４記載の移動無線システム。
【請求項７】
パーソナルステーションと、移動スイッチと、前記パーソナルステーションの第１のグループと通信するために第１の無線インターフェイスを支援し且つ前記パーソナルステーションの第２のグループと通信するために第２のインターフェイスを支援する無線システムと、前記移動スイッチと前記無線システムとの間の単一シグナリングインターフェイスと、該単一シグナリングインターフェイスを通して前記移動スイッチと前記無線システムとの間でシグナリングを行うため前記第１の無線インターフェイスに対応する第１のグループのシグナリングメッセージと、前記単一シグナリングインターフェイスを通して前記移動スイッチと前記無線システムとの間でシグナリングを行うため前記第２の無線インターフェイスに対応する第２のグループのシグナリングメッセージとを備えており、前記単一シグナリングインターフェイスは、前記単一シグナリングインターフェイスおよび前記無線システムを通して前記移動スイッチと前記第１のグループのパーソナルステーションとの間で前記第１のグループのメッセージにおけるＤＴＡＰメッセージを転送するための第１の直接転送アプリケーションサブ部ＤＴＡＰと、前記移動スイッチと前記無線システムとの間で前記第１のグループのメッセージにおけるＲＳＭＡＰメッセージを転送するための第１の無線システム管理アプリケーションサブ部ＲＳＭＡＰと、前記単一シグナリングインターフェイスおよび前記無線システムを通して前記移動スイッチと前記第２のグループのパーソナルステーションとの間で前記第２のグループのメッセージにおけるＤＴＡＰメッセージを転送するための第２の直接転送アプリケーションサブ部ＤＴＡＰと、前記移動スイッチと前記無線システムとの間で前記第２のグループのメッセージにおけるＲＳＭＡＰメッセージを転送するための第２の無線システム管理アプリケーションサブ部ＲＳＭＡＰと、前記単一シグナリングインターフェイスを通してＳＣＣＰメッセージのユーザデータフィールドにおける前記ＤＴＡＰおよびＢＳＳＭＡＰメッセージを転送するための単一シグナリング接続および制御部ＳＣＣＰとを備えており、前記ＳＣＣＰメッセージの前記ユーザデータフィールドは、分配データユニット、長さインディケータおよび転送すべき前記ＤＴＡＰまたはＲＳＭＡＰメッセージを含み、前記分配データユニットは、弁別パラメータを含み、該弁別パラメータの少なくとも１つのビットは、前記ＳＣＣＰメッセージの前記ユーザデータフィールドにおけるメッセージがＲＳＭＡＰメッセージであるか、または、ＤＴＡＰメッセージであるかを指示し、前記弁別パラメータの他のビットのうちの１つまたはそれ以上は、前記ＳＣＣＰメッセージの前記ユーザデータフィールドにおける前記メッセージが前記第１のグループのメッセージに属するか、または、前記第２のグループのメッセージに属するかを指示し、さらに、前記ＳＣＣＰおよびＤＴＡＰおよびＲＳＭＡＰの間にあって前記弁別パラメータを管理し且つ前記第１のグループのメッセージおよび第２のグループのメッセージに属する前記ＤＴＡＰおよびＲＳＭＡＰメッセージの間の弁別を行うための中間レーヤーを備えることを特徴とする移動無線システム。
【請求項８】
前記中間レーヤーは、受信ＳＣＣＰメッセージにおける前記弁別パラメータに応答して前記ＳＣＣＰメッセージのユーザデータフィールドにおけるメッセージを、もし、前記ユーザデータフィールドにおけるメッセージが前記第１のグループのメッセージに属するＤＴＡＰメッセージであることを前記弁別パラメータが指示する場合には、前記第１のＤＴＡＰへ、もし、前記ユーザデータフィールドにおけるメッセージが前記第２のグループのメッセージに属するＤＴＡＰメッセージであることを前記弁別パラメータが指示する場合には、前記第２のＤＴＡＰへ、もし、前記ユーザデータフィールドにおけるメッセージが前記第１のグループのメッセージに属するＲＳＭＡＰメッセージであることを前記弁別パラメータが指示する場合には、前記第１のＲＳＭＡＰへ、もし、前記ユーザデータフィールドにおけるメッセージが前記第２のグループのメッセージに属するＲＳＭＡＰメッセージであることを前記弁別パラメータが指示する場合には、前記第２のＲＳＭＡＰへと分配するような請求項７記載の移動無線システム。
【請求項９】
前記単一シグナリングインディケータは、シグナリングシステムナンバー７（ＳＳ７）ベースＡ−インターフェイスＰＮ−３３４３である請求項７記載の移動無線システム。
【請求項１０】
移動無線システムにおけるシグナリング方法において、一つのベースステーションシステムと複数の移動ステーションとの間で通信するために少なくとも２つの異なる無線インターフェイスを使用し、該少なくとも２つの異なる無線インターフェイスの各々に対して専用シグナリングプロトコルを使用し、前記ベースステーションシステムと一つの移動スイッチとの間のシグナリングのために、前記専用シグナリングプロトコルの各々を支援する単一シグナリングインターフェイスを使用し、前記単一シグナリングインターフェイスにおいて異なるシグナリングプロトコルに属するシグナリングメッセージを互いに分離にするために、前記単一シグナリングインターフェイスを通して転送される各シグナリングメッセージと一つの弁別パラメータを関連付け、前記弁別パラメータの専用値が前記無線多重無線インターフェイスの各々に対して割り当てられているようにすることを特徴とするシグナリング方法。
【請求項１１】
パーソナルステーションと、移動スイッチと、前記パーソナルステーションの第１のグループと通信するために第１の無線インターフェイスを支援し、且つ前記パーソナルステーションの第２のグループと通信するために第２の無線インターフェイスを支援する無線システムと、前記移動スイッチと前記無線システムとの間の単一シグナリングインターフェイスと、前記単一シグナリングインターフェイスを通して前記移動スイッチと前記無線システムとの間でシグナリングを行うための前記第１の無線インターフェイスに対応する第１のグループのシグナリングメッセージと、前記単一シグナリングインターフェイスを通して前記移動スイッチと前記無線システムとの間でシグナリングを行うための前記第２の無線インターフェイスに対応する第２のグループのシグナリングメッセージを備えており、前記単一シグナリングインターフェイスは、前記単一シグナリングインターフェイスおよび前記無線システムを通して前記第１のグループのメッセージにおけるＤＴＡＰメッセージを転送するための第１の直接転送アプリケーションサブ部ＤＴＡＰと、前記移動スイッチと前記無線システムとの間で前記第１のグループのメッセージにおけるＲＳＭＡＰメッセージを転送するための第１の無線システム管理アプリケーションサブ部ＲＳＭＡＰと、前記単一シグナリングインターフェイスおよび前記無線システムを通して前記移動スイッチと前記第２のグループのパーソナルステーションとの間で前記第２のグループのメッセージにおけるＤＴＡＰメッセージを転送するための第２の直接転送アプリケーションサブ部ＤＴＡＰと、前記移動スイッチと前記無線システムとの間で前記第２のグループのメッセージにおけるＲＳＭＡＰメッセージを転送するための第２の無線システム管理アプリケーションサブ部ＲＳＭＡＰと、前記単一シグナリングインターフェイスを通してＳＣＣＰメッセージのユーザデータフィールドにおける前記ＤＴＡＰおよびＢＳＳＭＡＰメッセージを転送するための単一シグナリング接続および制御部ＳＣＣＰとを備えており、前記ＳＣＣＰメッセージの前記ユーザデータフィールドは、分配データユニット、長さインディケータおよび転送すべき前記ＤＴＡＰまたはＲＳＭＡＰメッセージを含み、前記分配データユニットは、弁別パラメータを含み、該弁別パラメータのうちの少なくとも１つのビットは、前記ＳＣＣＰメッセージの前記ユーザデータフィールドにおけるメッセージがＲＳＭＡＰメッセージであるか、または、ＤＴＡＰメッセージであるかを指示し、前記弁別パラメータの他のビットのうちの１つまたはそれ以上のビットは、前記ＳＣＣＰメッセージの前記ユーザデータフィールドにおける前記メッセージが前記第１のグループのメッセージに属するか、または、前記第２のグループのメッセージに属するかを指示し、さらに、前記ＳＣＣＰおよびＤＴＡＰおよびＲＳＭＡＰの間にあって前記弁別パラメータを管理し且つ前記第１および第２のグループのメッセージに属する前記ＤＴＡＰおよびＲＳＭＡＰメッセージの間の弁別を行うための中間レーヤーを備えることを特徴とする移動無線システム。
【発明の詳細な説明】
発明の分野
本発明は、移動無線システムに関するものであり、特に、多重無線インターフェイスおよびシグナリングプロトコルを支援する移動無線システムに関するものである。
発明の背景
従来の移動無線システムは、典型的には、移動ネットワークを介してすべて、ベースステーションと移動ステーションとの間の単一無線インターフェイスを支援しようとするものである。同様に、無線インターフェイスを支援する単一シグナリングインターフェイスは、移動スイッチとベースステーションシステム、すなわち、ベースステーションコントローラおよびベースステーションとの間に使用されている。しかしながら、将来の移動無線システムにおいては、単一移動無線ネットワーク内で多重シグナリングプロトコルを支援することが必要になるかもしれない。これらの多重無線インターフェイスを支援するためには、ベースステーションコントローラと移動スイッチとの間の単一シグナリングインターフェイス内の多重シグナリングプロトコルを支援することが必要である。このことは、種々なエアーインターフェイスを支援するベースステーションが共通のベースステーションコントローラを介して移動スイッチへ接続されるときに、そうである。もし、これらの種々な無線インターフェイスが異なるシグナリングプロトコルを使用している場合には、その移動スイッチは、受信メッセージがどのシグナリングプロトコルに属しているかを認識することができなければならない。このことは、ネットワーク要素の間でさらに通信するために正しいシグナリングプロトコルを移動スイッチが容易に選択できるようにするために、必要である。当然にまた、移動スイッチからベースステーションシステムへのシグナリングメッセージに対しても同様の分離が必要とされる。
従来の移動無線システムの一例としては、パンヨーロッパデジタル移動無線システムＧＳＭ（移動通信のためのグローバルシステム）がある。ベースステーションコントローラと移動スイッチとの間のインターフェイスは、ＧＳＭシステムにおいては、Ａ−インターフェイスと称されている。ＧＳＭ  Ａ−インターフェイスと非常に類似したインターフェイスを、パーソナル通信システム（ＰＣＳ）のために標準化すべきであることも明らかである。ＰＣＳにおいても多重無線インターフェイスを支援する必要があることが予測される。
発明の開示
したがって、本発明の目的は、ベースステーションシステムと移動スイッチとの間の単一シグナリングインターフェイスを介して多重無線インターフェイスを支援する移動無線システムを提供することである。
本発明の別の目的は、多重無線インターフェイスおよびそれらのシグナリングプロトコルを支援するためにＧＳＭの特定のＡ−インターフェイスをエンハンスすることである。
１つの無線インターフェイスを支援するためには、ベースステーションシステムと移動スイッチとの間の単一インターフェイスは、ここでは、メッセージグループと称される多数のシグナリングメッセージを含むシグナリングプロトコルを有していなければならない。もし、単一移動無線システムが１つの無線インターフェイスのみを支援する場合には、ベースステーションシステムと移動スイッチとの間の単一シグナリングインターフェイスは、１つのメッセージグループしか含まないので、メッセージグループの間の分離は必要とされない。移動無線システムが多重無線インターフェイスを支援し、単一シグナリングインターフェイスが各無線インターフェイスに対して１つずつのいくつかのメッセージグループを含むときには、その事情は違ってくる。本発明によれば、単一シグナリングインターフェイスにおけるメッセージには、それらのメッセージがどのシグナリングプロトコルおよび無線インターフェイスに属するかを分離するのに使用される弁別パラメータが与えられる。各無線インターフェイスに対して、１つの専用弁別パラメータ値が割り当てられる。換言するならば、各メッセージに関連付けられた弁別パラメータ値は、無線インターフェイス固有値である。例えば、移動スイッチへ送られるべきメッセージを発生するときに、ベースステーションシステムは、メッセージに対して適当な弁別パラメータ値を割り当てる。ベースステーションシステムから受信されたメッセージの弁別パラメータ値は、そのメッセージがどのシグナリングプロトコル、どの無線インターフェイスおよびどのメッセージグループに属するかを識別するために、移動スイッチによってチェックされる。移動スイッチからベースステーションシステムへのシグナリングにおいても同じ機構が使用されうる。
ベースステーションコントローラと移動スイッチとの間のＧＳＭベースＡ−インターフェイスは、トランスポートレーヤーとシグナリングメッセージを搬送する上方レーヤーとの間に配置された中間分配サブレーヤーを備える。このサブレーヤーのプロトコルは、弁別パラメータフィールドを含む分配データユニットからなる。通常、メッセージをＧＳＭ仕様書にて定められたＤＴＡＰ（直接転送アプリケーションサブ部）およびＢＳＳＭＡＰ（ベースステーションシステム管理アプリケーションサブ部）メッセージまたはＰＣＳシステムにおけるＲＳＭＡＰ（無線システム管理アプリケーション部）へと分配するのに、分配サブレーヤーおよび弁別パラメータフィールドが使用される。本発明によれば、ＧＳＭ特定Ａ−インターフェイスは、多重無線インターフェイスおよび関連したシグナリングプロトコルを支援する移動無線システムにおけるメッセージグループおよび無線インターフェイスを識別し分離するために、弁別パラメータフィールドにおける他のビットのうちの１つまたはそれ以上を使用することによって、エンハンスされる。本発明によるこのような弁別パラメータフィールドの使用により、多重無線インターフェイスを支援するときに、Ａ−インターフェイスのプロトコル構造を融通性のあるものとすることが容易となる。他のメッセージグループに影響せずに、単一メッセージグループをさらに発展させることができる。また、新しいＤＰ値を割り当てることにより、新しい無線インターフェイスおよび新しいメッセージグループの支援を行うことができる。ＧＳＭ特定Ａ−インターフェイスを介しての多重エアーインターフェイスの支援は、単一無線インターフェイスの支援よりも、必ずしも複雑とならない。何故ならば、メッセージの本質的部分は、すべての無線インターフェイスに対して同じであり、したがって、同様に管理されうるからである。
【図面の簡単な説明】
次に、本発明の好ましい実施例について、添付図面を参照して説明する。
第１図は、ベースステーションシステムと移動スイッチとの間の単一インターフェイスを含み且つ本発明によって多重無線インターフェイスを支援する移動無線通信システムを示す図である。
第２図は、ＧＳＭ仕様書によるＡ−インターフェイスのシグナリングプロトコル基準モデルを示す図である。
第３図は、ＢＳＳＭＡＰ／ＲＳＭＡＰメッセージを搬送するためのＳＣＣＰユニットデータメッセージのユーザデータフィールドを示す図である。
第４図は、ＤＴＡＰメッセージを搬送するためのＳＣＣＰユニットデータメッセージのユーザデータフィールドの構造を示す図である。
第５図は、多重無線インターフェイスを支援するＡ−インターフェイスの多重メッセージグループを例示する図である。
第６図は、本発明による多重無線インターフェイスを支援するＡ−インターフェイスのシグナリングプロトコル基準モデルを示す図である。
第７図、第８図および第９図は、第６図における無線インターフェイス１、無線インターフェイス２および無線インターフェイス３のそれぞれに割り当てられた弁別パラメータフィルード値を例示する図である。
好ましい実施例の説明
本発明は、移動スイッチと２つまたはそれ以上の無線インターフェイスを支援するベースステーションシステムとの間に単一インターフェイスを与えるため種々な移動無線通信システムに適用しうるものである。本発明は、特に、多重無線インターフェイスおよびそれらのシグナリングプロトコルを支援するために、ＧＳＭ特定Ａ−インターフェイスまたはＡ−インターフェイスに実質的に類似した他のインターフェイスをエンハンスするのに適している。米国においては、標準ドラフトＰＮ−３３４３のもとで、パーソナル通信システムＰＣＳが開発されているところである。ＰＮ−３３４３によるＰＣＳにおけるＡ−インターフェイスは、ＧＳＭ特定Ａ−インターフェイスと実質的に同様のものとなろう。本発明の好ましい実施例を、ＧＳＭ特定Ａ−インターフェイス、ＰＮ−３３４３  Ａ−インターフェイスまたは類似のインターフェイスに適用した場合について、説明する。しかしながら、本発明は、このような特定の型のインターフェイスに限定されるものではない。
以下においては、ＧＳＭ特定用語を使用する。ＧＳＭシステムの用語とＰＣＳシステムの用語との間の主たる相違点については以下に説明する。
ＧＳＭ移動無線システムの基本構造および基本動作は、当業者にはよく知られているところであり、また、ＧＳＭシステムの仕様書に詳細に定められているところである。ＧＳＭシステムの詳細な説明については、ＥＴＳＩ  ＧＳＭ仕様書および書籍“The GSM System for Mobile Communication”，M．Mouly＆M．Pautet，Palaiseau，France．を参照されたい。
多重エアーインターフェイスを有した移動無線システムが第１図に示されている。移動スイッチ１０（ＧＳＭシステムにおける移動サービススイッチングセンターＭＳＣ、ＰＣＳシステムにおけるパーソナルサービススイッチングセンターＰＣＳＣ）は、着呼および発呼を切り換える。この機能は、固定電話回路網における交換機の機能と部分的に類似している。さらに、移動スイッチ１０は、加入者位置管理、ページング、識別検証等の如き移動通信にのみ典型的な機能を有している。移動無線ステーションＭＳ（ＰＣＳシステムにおけるパーソナルステーションＰＳ）は、ベースステーションシステムＢＳＳ（ＰＣＳシステムにおける無線システムＲＳ）を用いて、移動スイッチ１０に接続される。ベースステーションシステムＢＳＳは、ベースステーションコントローラＢＳＣと、ベースステーションＢＴＳとを備える。複数のベースステーションＢＴＳを制御するのに、単一ベースステーションコントローラＢＳＣが使用される。第１図において、ＢＳＣが２つのベースステーションＢＴＳ１およびＢＴＳ２に接続されているようなベースステーションシステムＢＳＳが示されている。ベースステーションＢＴＳ１およびＢＴＳ２は、それぞれ異なる無線インターフェイス１および２を支援している。この無線インターフェイスの型および厳密なインプリメンテーションは、本発明にとって本質的なものではない。異なる無線インターフェイスの例としては、ＰＣＳ１９００エアーインターフェイス、ＩＳ−９５ベースエアーインターフェイスＰＮ−３３８４およびＰＣＳ２０００エアーインターフェイスがある。ＭＳ１の如き第１のグループの移動ステーションＭＳは、無線インターフェイス１、したがって、ベースステーションＢＴＳ１を使用して通信することができる。ＭＳ２の如き第２のグループの移動ステーションＭＳは、無線インターフェイス２、したがって、ベースステーションＢＴＳ２を使用して通信することができる。これらのベースステーションＢＴＳ１およびＢＴＳ２は、共通ベースステーションコントローラＢＳＣを介して、移動スイッチ１０に接続される。ＢＳＣと移動スイッチ１０との間の単一インターフェイスは、ＧＳＭベースＡ−インターフェイスまたはＰＣＳ特定Ａ−インターフェイスＰＮ−３３４３である。もし、異なるエアーインターフェイス１および２が異なるシグナリングプロトコルを使用している場合には、移動スイッチ１０は、Ａ−インターフェイスを介して受信されたメッセージがどのシグナリングプロトコルに属するのかを認識することができなければならない。このことは、ネットワーク要素の間でのさらなる通信のために移動スイッチ１０が正しいシグナリングプロトコルを選択できるようにするために必要である。
このようなことを実施するために、本発明により、ＢＳＣと移動スイッチ１０との間のインターフェイスを通して転送されるメッセージの各々に関連させて弁別パラメータフィールドが設けられる。換言するならば、ベースステーションコントローラＢＳＣは、各メッセージに対して専用弁別パラメータフィールド値（無線インターフェイス固有値）を割り当てる。この弁別パラメータフィールド値は、受信されたメッセージが属するシグナリングプロトコルおよびメッセージグループ（すなわち、無線インターフェイス）を識別するために、移動スイッチ１０によってチェックされる。
本発明を理解し易くするために、単一無線インターフェイスを支援する通常のＧＳＭ特定Ａ−インターフェイスについて、先ず、第２図、第３図および第４図を参照して説明する。ＰＣＳ特定Ａ−インターフェイスＰＮ−３３４３は、ＧＳＭ特定Ａ−インターフェイスに基づいている。
第２図は、移動スイッチ１０とベースステーションシステムＢＳＳ（または、無線システムＲＳ）との間のＡ−インターフェイスのシグナリングプロトコル基準モデルを例示している。
Ａ−インターフェイスは、ＳＣＣＰ、ＭＴＰおよび物理的レーヤーのようないくつかのレーヤーを有するＡＮＳＩ／ＣＣＩＴＴシグナリングシステムナンバー７（ＳＳ７）に基づいている。第２図における底部レーヤーは、物理的レーヤーである。ＢＳＣと移動スイッチ１０との間にデジタルリンクが使用されている場合には、物理的レーヤーのシグナリングは、５６または６４kbits/sタイムスロットの１つにて搬送される。Ａ−インターフェイスにおける次の上方レーヤーは、メッセージ転送部（ＭＴＰ）およびシグナリング接続および制御部（ＳＣＣＰ）である。ＭＴＰおよびＳＣＣＰは、移動スイッチ１０とＢＳＳとの間のシグナリングメッセージを支援するのに使用される。
ＢＳＳアプリケーション部（ＢＳＳＡＰ）と称されるＳＣＣＰの一つのユーザ機能が定められている（ＰＣＳシステムにおける無線システムアプリケーション部）。ＢＳＳＡＰ（または、ＲＳＡＰ）は、レーヤー３メッセージの転送のために、１つまたはそれ以上のアクティブトランザクションを有するアクティブ移動ステーションＭＳ当り１つのシグナリング接続を使用する。ＢＳＳＡＰ（ＲＳＡＰ）ユーザ機能は、さらに、次の２つの別々の機能に分けられている。
−移動スイッチ１０とＭＳとの間で呼制御および移動性管理メッセージを転送するのに、直接転送アプリケーションサブ部ＤＴＡＰが使用される。これらのメッセージにおけるＤＴＡＰ情報は、ＢＳＳによって解釈されない。技術仕様書ＧＳＭ０８．０６には、ＢＳＳでのＤＴＡＰメッセージの取り扱い、無線インターフェイスの適切なシグナリングチャンネルにおけるメッセージの多重化、およびＳＣＣＰサービスの使用に関する詳細について示されている。ＭＳ−ＭＳＯＣ報交換のためのレーヤー３プロトコルについては、ＧＳＭ技術仕様書の０４−シリーズに記述されている。
−ＢＳＳ管理アプリケーションサブ部ＢＳＳＭＡＰ（ＰＣＳにおける無線システム管理アプリケーション部）は、移動スイッチ１０と、ＭＳ（リソース管理およびハンドオーバー制御）に関連したＢＳＳ、または、ＢＳＳ内のセル（または、無線システムＲＳ）に関連したＢＳＳ、または、全ＢＳＳに関連したＢＳＳとの間の他の処理を支援する。換言するならば、ＢＳＳＭＡＰ（ＲＳＭＡＰ）は、情報関連単一呼の解釈および処理、およびリソース管理を必要とするＢＳＳ（ＲＳ）と移動スイッチ１０との間のすべての処理を支援する。
これらの２つのサブ部ＤＴＡＰおよびＢＳＳＭＡＰ（ＲＳＭＡＰ）に関連したメッセージの間の弁別は、ＳＣＣＰとレーヤー３との間の中間レーヤーにおいて行われる。この中間レーヤーは、分配サブレーヤーまたは分配機能と称される。
移動スイッチ１０とＢＳＳ（ＲＳ）との間のＤＴＡＰおよびＢＳＳＭＡＰ（ＲＡＭＡＰ）レーヤー３は、交換されるＳＣＣＰメッセージのユーザデータフィールドに含まれる。ＢＳＳＭＡＰ（ＲＳＭＡＰ）およびＤＴＡＰメッセージを搬送するためのＳＣＣＰユニットデータメッセージのユーザデータフィールドの構造は、第３図および第４図に示されている。第３図および第４図に示されるように、ユーザデータフィールドは、両方の場合において、分配データユニット、長さインディケータおよび実レーヤー３メッセージを含む。各ＳＣＣＰユーザデータフィールドは、さらに、ヘッダとして分配データユニットを含む。ＢＳＳＭＡＰ（ＲＳＭＡＰ）メッセージの場合において、分配データユニットは、第３図に示されるように、弁別パラメータからなるだけである。ＤＴＡＰメッセージの場合においては、分配ユニットは、２つのパラメータ、すなわち、弁別パラメータおよびデータリンク接続指示（ＤＬＣＩ）パラメータからなる。後者のパラメータは、本発明にとって本質的なものではないので、これ以上詳述しない。
両者の場合において、弁別パラメータは、第７図に示されるような１つのオクテットにてコード化されている。弁別ビットＤと称される弁別パラメータの１つのビットは、ＳＣＣＰユーザデータフィールドにおけるレーヤー３メッセージがＤＴＡＰメッセージ（Ｄ＝１）であるか、または、ＢＳＳＭＡＰ（ＲＳＭＡＰ）メッセージ（Ｄ＝０）であるかを、指示する。弁別ビットＤは、通常、最下位ビットである。ＧＳＭ特定弁別パラメータ値においては、他のビットは、０にセットされている。
分配データユニットは、ＢＳＳＭＡＰ（ＲＳＭＡＰ）およびＤＴＡＰ機能の間のメッセージの分配および種々な無線リンクレーヤー２アクセスポイントへの、または、からのＤＴＡＰメッセージの分配／多重化のために、ＳＣＣＰとレーヤー３との間の分配サブレーヤーによって使用される。
前述したように、通常のＧＳＭ特定Ａ−インターフェイスは、１つの無線インターフェイスおよびシグナリングプロトコルのみを支援する。
本発明の好ましい実施例によれば、ＰＣＳ特定Ａ−インターフェイスの如きＧＳＭベースＡ−インターフェイスは、２つまたはそれ以上の無線インターフェイスおよびそれらのシグナリングプロトコルを支援するようにエンハンスされる。これは、レーヤー３メッセージがどの無線インターフェイスおよび関連シグナリングプロトコルに属するかを指示するために弁別パラメータフィールドＤＰにおける他のビットを使用することによって、達成される。
１つの無線インターフェイスを支援するために、Ａ−インターフェイスは、ここではメッセージグループと称される多数のメッセージを含むシグナリングプロトコルを含まねばならない。１つのメッセージグループは、無線インターフェイスに固有である。各グループは、その無線インターフェイスに対するＤＴＡＰおよびＢＳＳＭＡＰ（ＲＳＭＡＰ）メッセージの両方を備える。もし、Ａ−インターフェイスが１つの無線インターフェイスのみを支援するだけでよい場合には、必要なメッセージグループは、１つだけである。この場合において、Ａ−インターフェイスのインプリメンテーションおよび弁別パラメータの値は、通常のＡ−インターフェイスと同様であってよい。
もし、移動無線システムおよびＡ−インターフェイスが多重無線インターフェイスを支援する場合には、いくつかのシグナリングプロトコル、したがって、いくつかのメッセージグループが必要とされる。第５図は、多重無線インターフェイスを支援するＡ−インターフェイスの多重メッセージグループを例示している。あるいくつかのメッセージＭＳＧは、すべてのメッセージグループに共通である。これらのメッセージに加えて、各グループは、他のメッセージグループによっては支援されない必須または任意のメッセージおよび情報要素を含みうる。メッセージの本質的な部分は、すべてのエアーインターフェイスおよびメッセージグループに共通であり得て、したがって、同様にして管理されうる。シグナリングプロトコルおよびメッセージグループは、Ａ−インターフェイスへ容易に加えることができ、また、Ａ−インターフェイスから容易に除去されうる。したがって、単一ネットワークは、無線インターフェイスおよびそれらのシグナリングプロトコルの異なる組合せを支援するＡ−インターフェイスの種々なバージョンを備えうる。
本発明によれば、各メッセージグループ（無線インターフェイス）に対して専用弁別フィールド値が割り当てられる。例えば、第７図、第８図および第９図に例示されるように、無線インターフェイス１メッセージに対して、弁別フィールド値０００００００Ｄ、無線インターフェイス２メッセージに対して、１００００００Ｄ、無線インターフェイス３メッセージに対して、０１０００００Ｄが割り当てられうる。換言するならば、弁別フィールドのビット７および８は、無線インターフェイスを識別するのに使用される。当然に、この目的のための、弁別パラメータフィールドにおける任意の自由ビットは、例えば、ビット２および３でありうる。弁別ビットＤは、ＤＴＡＰ（Ｄ＝１）メッセージとＢＳＳＭＡＰ／ＲＳＭＡＰ（Ｄ＝０）メッセージとの間の弁別のために通常の仕方で使用される。
次に、本発明の好ましい実施例によるＡ−インターフェイスの構造および動作について、第６図を参照して説明する。第６図は、本発明によるＡ−インターフェイスのシグナリングプロトコル基準モデルを示している。物理的レーヤー並びにレーヤー２プロトコルＭＴＰおよびＳＣＣＰは、第２図における同じレーヤーと同様であり、本発明のインプリメンテーションのために修正を必要としていない。ＢＳＳアプリケーション部ＢＳＳＡＰ（または、ＲＳＡＰ）は、第６図における３つの異なる無線インターフェイス、すなわち、無線インターフェイス１、２および３を支援する。これをインプリメンテーションするために、ＢＳＳＡＰ／ＲＳＡＰは、各無線インターフェイスのためのＤＴＡＰおよびＢＳＳＭＡＰ機能の専用ペアを備える。結果として、第６図におけるＢＳＳＡＰ／ＲＳＡＰのＤＴＡＰおよびＢＳＳＭＡＰ／ＲＳＭＡＰ機能の３つのペアがある。
中間分配サブレーヤーまたは分配機能は、ＳＣＣＰおよびレーヤー３機能ＤＴＡＰおよびＢＳＳＭＡＰ／ＲＳＭＡＰの間に配置される。分配サブレーヤーの基本的機能は、第１図におけると同じであり、ＢＳＳＭＡＰおよびＤＴＡＰ機能の間のＳＣＣＰメッセージの分配である。移動スイッチ１０とＢＳＳとの間のＤＴＡＰおよびＢＳＳＭＡＰ／ＲＳＭＡＰレーヤー３メッセージは、また、交換されＳＣＣＰメッセージのユーザデータフィールドに含まれている。本発明によるＡ−インターフェイスに使用されるユーザデータフィールドは、それぞれ、ＢＳＳＭＡＰ／ＲＳＭＡＰおよびＤＴＡＰメッセージのための第３図および第４図に示されたユーザデータフィールドと同様である。各ユーザデータフィールドは、また、ユーザデータフィールドにおけるレーヤー３メッセージがＤＴＡＰメッセージ（弁別ビットＤ＝１）であるか、または、ＢＳＳＭＡＰ／ＲＳＭＡＰメッセージ（Ｄ＝０）であるかを指示する弁別パラメータを含む分配データユニットを含む。
しかしながら、Ａ−インターフェイスは３つのインターフェイス１、２および３を支援し、各無線インターフェイスに対するＤＴＡＰおよびＢＳＳＭＡＰ／ＲＳＭＡＰ機能の専用ペアがあるので、弁別パラメータの専用値が各無線インターフェイスに対して割り当てられる。より詳細には、無線インターフェイス１に対して、分配パラメータ値０００００００Ｄ（第７図）、無線インターフェイス２に対して、１００００００Ｄ（第８図）、無線インターフェイス３に対して、０１０００００Ｄ（第９図）が割り当てられる。弁別パラメータの値は、異なる無線インターフェイスのＤＴＡＰおよびＢＳＳＭＡＰ／ＲＳＭＡＰ機能のペアの間のメッセージを弁別するのに使用され、分配ビットＤは、各ペア内のＤＴＡＰおよびＢＳＳＭＡＰ／ＲＳＭＡＰ機能の間のメッセージを弁別するのに通常の仕方で使用される。
第６図に示される類似の基準モデルが、Ａ−インターフェイスの両端、すなわち、ベースステーションコントローラＢＳＣおよび移動スイッチ１０に見出されうる。
次に、本発明によるＡ−インターフェイスの動作について、例示の実施例を参照して説明する。この例示の実施例においては、無線インターフェイス３に属するＤＴＡＰメッセージは、本発明によるＡ−インターフェイスを介してベースステーションコントローラＢＳＣから移動スイッチ１０へ転送される。先ず、ＤＴＡＰメッセージは、無線インターフェイス３から適当なＤＴＡＰ機能によって受信され、分配サブレーヤーを介してＳＣＣＰメッセージのユーザデータフィールドへ挿入される。分配サブレーヤーは、ユーザデータフィールドにおけるメッセージが無線インターフェイス３からのＤＴＡＰメッセージであることを知り、したがって、ユーザデータフィールドにおける弁別パラメータを値０１００００００（第９図参照）にセットする。それから、ＳＣＣＰメッセージは、ＢＳＣからＡ−インターフェイスを介して移動スイッチ１０へと転送される。移動スイッチ１０において、分配サブレーヤーは、受信されたＳＣＣＰメッセージにおける弁別パラメータフィールドの値をチェックする。値０１００００００は、レーヤー３メッセージが無線インターフェイス３からのＤＴＡＰメッセージであることを示しており、その分配サブレーヤーは、そのメッセージを、無線インターフェイス３のＤＴＡＰ機能へ配分する。同様に、無線インターフェイス１、２および３のメッセージグループに属する任意のＤＴＡＰおよびＢＳＳＭＡＰメッセージが、特定メッセージタイプおよび無線インターフェイスへ割り当てられた適当な弁別パラメータフィールドを使用することによって、ＢＳＳおよび移動スイッチ１０の間で両方向において転送されうる。
前述の説明は、本発明の好ましい実施例を示すだけのものである。本請求の範囲の記載によって定められる本発明の精神および範囲を逸脱せずに、種々な変形が可能であることは、当業者には明らかであろう。
【図１】
0003913776.tif 000002
【図２】
0003913776.tif 000003
【図３】
0003913776.tif 000004
【図４】
0003913776.tif 000005
【図５】
0003913776.tif 000006
【図６】
0003913776.tif 000007
【図７】
0003913776.tif 000008
【図８】
0003913776.tif 000009
【図９】
0003913776.tif 000010